(57)【要約】  装飾物の、装飾、エンターテイメントまたは広告効果を著しく上げるために、本発明は、透明樹脂などの液体物質を貝殻へ溶かしつけ、特に新規で目を引く装飾的効果を得ることを提案する。とりわけ、本発明は、天然の空の貝殻（１０）の少なくとも１つの開口部（opening）（１５）を、ポリマー樹脂、ガラスまたはクリスタルといった固めるための流動材料Ｒで充填することからなる、装飾物の製造方法に関する。当該方法は、少なくとも以下の工程を含む：貝殻を洗浄すること、前記流動材料で開口部を充填すること、流動材料が固まるまで待つこと、貝殻を磨いて外側のざらつき（４４）を除くこと。【選択図】図４
2007532365.tif 000002
【特許請求の範囲】
【請求項１】
天然の空の貝殻（１０）の少なくとも１つの開口部（opening）（１５）を、ポリマー樹脂、ガラスまたはクリスタルのような固めるために適当な流動材料で充填することによって、装飾物を製造する方法であって、少なくとも以下の工程：
貝殻を洗浄すること、
前記流動材料で開口部を充填すること、
流動材料が固まるまで待つこと、
貝殻を磨いて外側のざらつきを除くこと
を含む方法。
【請求項２】
貝殻（１０）が洗浄工程の間に、細菌学的および／または化学的処理を受ける、請求項１に記載の方法。
【請求項３】
開口部（１５）を流動材料で充填する前に、貝殻（１０）を切断するか、および／または貝殻（１０）の中もしくは貝殻を貫通してドリルで開口部を開け、あらかじめ定められた形状を得る、請求項１又は２に記載の方法。
【請求項４】
開口部（１５）が貝殻上に刻まれ、文字、数字、または物もしくは動物の形状などの幾何学的模様を形成する、請求項３に記載の方法。
【請求項５】
ミニドリル、マイクロソー（micro saw）、レーザー、サンドブラスティングエロージョン（sand blasting erosion）または水ジェット切断によって開口部（１５）がつくられる、請求項４に記載の方法。
【請求項６】
洗浄された空の貝殻（１０）がセントラルシャフト（１２）を有しており、
貝殻（１０）が切断されて、開口部（１５）を備えたスライス（１１）がつくられ、
貝殻スライス（１１）の開口部（１５）が流動材料で充填されている、請求項３〜５のいずれかに記載の方法。
【請求項７】
貝殻（１０）がセントラルシャフト(１２)に沿って縦に切断され、
セントラルシャフト（１２）が埋め込まれ、セントラルシャフト（１２）の周りおよびセントラルシャフト（１２）と周囲の壁（１４）との間に位置する開口部（１５）を備えた、スライス（１１）がつくられる、請求項６に記載の方法。
【請求項８】
貝殻（１０）がセントラルシャフト（１２）にわたって、好ましくは実質的に垂直に切断され、セントラルシャフト（１２）と周囲のらせん状壁（１４）との間にあるらせん状開口部（１５）を備えた、中空らせん形状を有するスライスがつくられる、請求項６に記載の方法。
【請求項９】
スライス（１１）が流動材料プール中に入れられ、開口部（１５）が流動材料で充填され、流動材料が固化した後に、スライス（１１）がプールから取り出される、請求項６〜８のいずれかに記載の方法。
【請求項１０】
開口部（１５）が流動材料の溶融温度に耐える材料でできたカバー層（２０）によって一時的に密封され、開口部（１５）が流動材料で充填されるように、少なくとも１つの充填ポートが貝殻（１０）に備わっており、
流動材料が少なくとも１つの前記ポートを介して貝殻（１０）中に注がれ、
カバー層（１０）が、流動材料が固化した後に取り除かれる、
請求項６〜８のいずれかに記載の方法。
【請求項１１】
前記カバー層が、粘着フィルム、コートされた織物／不織布、または紙である、請求項１０に記載の方法。
【請求項１２】
貝殻（１０）が、１つの大きな凹形（concave）の開口部（１５）を備えた半分のホタテ貝の貝殻の形状を有し、
流動材料が、貝殻を流動材料プール中に入れることによって開口部(１５)中に充填され、
流動材料が固化した後に、貝殻がプールから取り出される、
請求項１または２に記載の方法。
【請求項１３】
ハートなどの特定の装飾および／または幾何学的形状を提供するために、貝殻が外面的に研磨される、請求項１〜１２のいずれかに記載の方法。
【請求項１４】
研磨工程が、手動でされるか、または、研磨機、砥石、研磨ローラー、サンドペーパーもしくは研磨布ローラーで機械的になされる、請求項１〜１３のいずれかに記載の方法。
【請求項１５】
流動材料を固める工程を促進するために、貝殻が約６０〜１００℃、好ましくは８０℃で、約８〜１４時間、好ましくは１２時間ストーブ中に置かれる、請求項１〜１４のいずれかに記載の方法。
【請求項１６】
乾燥した空気がストーブ内に吹き込まれる、請求項１５に記載の方法。
【請求項１７】
貝殻が、ネックレスのためのサポート手段（１８、２５）を備えている、請求項１〜１６のいずれかに記載の方法。
【請求項１８】
サポート手段が、貝殻および／または固化した材料にドリルで開けた孔（２５）である、請求項１７に記載の方法。
【請求項１９】
サポート手段が固化材料に埋め込んだフック（１８）である、請求項１７に記載の方法。
【請求項２０】
流動材料が半透明または完全に透明であり、該材料を通してはっきりと見ることができる（特に、貝殻の構造を見ることができる）、請求項１〜１９のいずれかに記載の方法。
【請求項２１】
流動材料が透明ポリマー樹脂、例えば、ＪＥＦＦＡＭＩＮＥ（登録商標）Ｔ−４０３などのポリエーテルトリアミンおよびＥＰＩＫＯＴＥ（登録商標）８２８などの液体エポキシ樹脂である、請求項２０に記載の方法。
【請求項２２】
流動材料がガラスまたはクリスタルである、請求項１９に記載の方法。
【請求項２３】
装飾物が、ペンダント、指輪、イヤリング（ears）またはブレスレットなどの宝石である、請求項１〜２２のいずれかに記載の方法。
【請求項２４】
装飾物が、ドアノブ、ランプ、風鈴などのハウスアクセサリーである、請求項１〜２３のいずれかに記載の方法。
【請求項２５】
装飾物が、例えば、靴、鞄、リュックサックまたはベルトなどに取り付けるファッションアクセサリーである、請求項１〜２４のいずれかに記載の方法。
【請求項２６】
請求項１〜２５のいずれかに記載の方法で得られ、かつ、樹脂、ガラスもしくはクリスタルといった、冷やすと固まるのに適した流動材料で充填された少なくとも１つの開口部を備えた貝殻を含む、装飾物。
【発明の詳細な説明】
【技術分野】
【０００１】
本発明は、概して、特に宝飾物およびファッションアクセサリーのための、貝殻を有する装飾物を製造する方法に関する。
【背景技術】
【０００２】
ドアノブ、ランプ、事務用品などのために用いられる装飾物の分野、鞄、ベルト、または靴などのファッションアクセサリー界、および宝飾物の分野において、プラスチック、金、銀、ステンレススチール、ガラス、クリスタル、または貝殻もしくは真珠などの天然物からなる多種のオブジェクトを使うのは一般的である。
【０００３】
例えば、ペンダントやイヤリング（ears）として真珠などを用いることがよく知られている。また、鋳造の樹脂を用いることによって、ドアノブを人工貝殻の形態にすることも可能である。
【発明の開示】
【発明が解決しようとする課題】
【０００４】
なお、とりわけ、貝殻をベース物として用いる場合、これらの修飾物に対する公衆の注目を上げる必要がある。貝殻が美しく、清潔で、とてもきめ細かいものだとしても、それ自体では装飾物はあまり魅力あるものではない。
【０００５】
貝殻をベースにした装飾物における、装飾、エンターテイメントまたは広告効果を著しく上げるために、本発明は、固化すると、新規で、非常に魅力があって、目を引くような装飾的効果を提供する液体物質を貝殻へ溶かしつける方法（method for melting）を提案する。
【課題を解決するための手段】
【０００６】
より具体的には、本発明の目的は、天然の空の貝殻の少なくとも１つの開口部（opening）を、ポリマー樹脂、ガラスまたはクリスタルなどの固めるために適した流動材料で充填することによる、装飾物の製造方法に関し、前記方法は、少なくとも以下の工程を含む：
貝殻を洗浄すること、
流動材料で開口部を充填すること、
流動材料が固まるまで待つこと、
貝殻を磨いて外側のざらつきを除くこと。
【０００７】
好ましい実施態様に従うと：
洗浄工程の間に、細菌学的および／または化学的処理を受ける。
【０００８】
流動材料で開口部を充填する前に、貝殻を切断するか、および／または貝殻の中もしくは貝殻を貫通してドリルで開口部を開け、あらかじめ定められた形状を得る。
【０００９】
開口部は貝殻上に刻まれ、文字、数字、または物もしくは動物の形状などの幾何学的模様を形成する。好ましくは、ミニドリル、マイクロソー（micro saw）、レーザー、サンドブラスティングエロージョン（sand blasting erosion）または水ジェット切断によって開口部がつくられる。
【００１０】
洗浄された空の貝殻は、軟体動物の実質的な軸部分および中心に相当するセントラルシャフトを有し、貝殻は切断されて開口部を備えたスライスがつくられ、その開口部は流動材料で充填されている。１つの好ましい実施態様では、貝殻はセントラルシャフトに沿って縦に切断され、セントラルシャフトが埋め込まれ、セントラルシャフトの周りおよびセントラルシャフトと周囲の壁との間に位置する開口部を備えた、スライスがつくられる。別の実施態様では、貝殻は、セントラルシャフト全体にわたって、好ましくは実質的に垂直に切断され、セントラルシャフトと周囲のらせん状壁との間にあるらせん状開口部を備えた、中空らせん形状を有するスライスがつくられる。
【００１１】
スライスを流動材料プール中に入れ、開口部を流動材料で充填し、流動材料が固化した後にスライスをプールから取り出す。別の実施態様では、開口部は流動材料の溶融温度に耐える材料でできたカバー層によって一時的に密封されている。そして、開口部を流動材料で充填するため、少なくとも１つの充填ポート（port）が貝殻に備わっており、流動材料は少なくとも１つのポートを介して貝殻中に注がれる。また、カバー層は、流動材料が固化した後に取り除かれる。好ましくは、カバー層は粘着フィルム、コートされた織物／不織布、または紙である。
【００１２】
貝殻は、１つの大きな凹形（concave）の開口部を備えた半分のホタテ貝の貝殻の形状を有し、流動材料は、貝殻を流動材料プール中に入れることによって開口部中に充填される。そして、流動材料が固化した後に、貝殻はプールから取り出される。
【００１３】
ハートなどの特定の装飾および／または幾何学的形状を提供するために、貝殻は外面的に研磨される。
【００１４】
研磨工程は、手動でなされるか、または、研磨機、砥石、研磨ローラー、サンドペーパーもしくは研磨布ローラーで機械的になされる。
【００１５】
流動材料を固める工程を促進するために、貝殻は約６０〜１００℃、好ましくは８０℃で、約８〜１４時間、好ましくは１２時間、ストーブ中に置かれる。好ましくは、乾燥した空気がストーブ内に吹き込まれる。
【００１６】
貝殻は、ネックレスのためのサポート手段を備えている。該手段は、例えば、貝殻および／または固化した材料にドリルで開けた孔、あるいは固化材料に埋め込んだフックである。
【００１７】
前記流動材料は半透明または完全に透明であり、該材料を通してはっきりと見ることができる（特に、貝殻の構造を見ることができる）。好ましくは、前記流動材料は透明ポリマー樹脂、例えば、ＪＥＦＦＡＭＩＮＥ（登録商標）Ｔ−４０３などのポリエーテルトリアミンおよびＥＰＩＫＯＴＥ（登録商標）８２８などの液体エポキシ樹脂、あるいは、有色もしくは無色のガラスまたはクリスタルである。
【００１８】
装飾物は、ペンダント、指輪、イヤリング（ears）またはブレスレットなどの宝石；ドアノブ、ランプ、風鈴などのハウスアクセサリー；あるいは、例えば、靴、鞄、リュックサックまたはベルトに取り付けるようなファッションアクセサリーであり得る。
【発明を実施するための最良の形態】
【００１９】
本発明を、この後に記載する、本発明の好ましい実施態様の例示において、添付の図面を参照して、より詳述する。
【００２０】
図１〜４を参照して、本発明の方法によって製造された、第一の装飾物、すなわちペンダントの例を記載する。
【００２１】
このペンダント１は空の貝殻１０をベースとしており、貝殻は、通常、例えばキリガイダマシ（Turitella）またはメキシコイボソデ（Strombus granulatus Swaison）などの細長い軟体動物であり、「セントラルシャフト」１２（図２および４参照）および周壁１４を有する。表現「セントラルシャフト」は軟体動物の実質的な軸部分および中心に関する。
【００２２】
貝殻１０を透明液体樹脂Ｒで充填し、貝殻に特別魅力のある装飾効果を与える工程を以下に記載する。
【００２３】
本発明の方法による第１工程において、空の貝殻１０は、公知の化学的および／または細菌学的処理によって洗浄される。空の貝殻１０は、貝殻の外側および内側に付着しているあらゆる種類の微生物、細菌および／または植物を取り除くために、例えば、汚染物質を除く液体プールに漬けられ、または、クリーニングスプレーにさらされる。
【００２４】
次いで、本発明の方法による第２工程において、洗浄された空の貝殻１０は、そのセントラルシャフト１２（図１の２−２線参照）に沿って、実質的に縦方向に、少なくとも１回切断され、約１ミリメーター〜数センチメーターの幅を有する貝殻スライス１１（図２参照）が得られる。当該スライス１１には、実質的に完全なセントラルシャフト１２が組み込まれている。そのため、多くの開口部１５がセントラルシャフト１２の周り（セントラルシャフト１２と周囲の壁１４の間）にある。貝殻１０は、例えば、レーザー、マイクロソーまたは水ジェット切断プロセスによって切断され得る。
【００２５】
本発明の方法による第３工程において、貝殻スライス１１の開口部１５は、例えば、粘着剤でコートされた織布からなるカバー層２０によって、少なくとも部分的に閉じられる。カバー層２０は、プロセスにおいて用いられる透明液体樹脂の融解温度に耐えるものでなければならず、その温度は４０〜４００℃の間である。開口部１５を透明液体樹脂Ｒで充填するために、少なくとも１つの充填ポートまたはエリアが具備されている。この場合、貝殻スライス１１の表面すべてが利用可能である。
【００２６】
本発明の方法による第４工程において、例えば、ＪＥＦＦＡＭＩＮＥ（登録商標）Ｔ−４０３（HUNTSMAN Petrochemical Corporationによって販売されているポリエーテルトリアミン）およびＥＰＩＫＯＴＥ（登録商標）８２８（RESOLUTIONによって販売されている液体エポキシ樹脂）などの透明液体樹脂Ｒが、カップまたはボウルなどの一般的な手段によって、充填ポートを介して貝殻スライス１１に注がれる。透明液体樹脂はカバー層２０によって保持されるため、貝殻スライス１１から出て行かずに、貝殻スライス１１のすべての開口部１５に流れこむ。好ましくは、泡を入れないようにする。
【００２７】
本発明の方法による第５工程において、貝殻スライス１１は、約８０℃の温度で、約１２時間乾燥ストーブ（図示せず）中に置かれる。これにより、透明液体樹脂Ｒが固化できる。ストーブ中で乾燥空気を用いて、開口部１５中の透明液体樹脂Ｒの固化を促進することができる。
【００２８】
本発明の方法による第６工程において、透明樹脂Ｒが十分に固くなったら、カバー層２０はストーブから取り出される。
【００２９】
本発明の方法による第７工程において、貝殻スライス１１は、外面的に可能な限り滑らかにするために、手動及び／または機械で数回磨かれる。例えば、研磨機、砥石、研磨ローラー、サンドペーパーまたは研磨布ローラーを用いる。この工程の目的は、あらゆる外面のざらつきを取り除くこと（とりわけ、開口部からはみ出た一部の樹脂が貝殻から突き出ている場合）、ならびに、装飾物１に最終形状および外観（aspect）を与えることである。
【００３０】
貝殻スライス１１を外面的に磨いた後、開口部１５の内部で、透明樹脂Ｒが貝殻と融合している装飾物１が得られる。選択した樹脂Ｒはこの場合完全に透明であるため、樹脂を通してはっきりと見ることが可能である。特に、貝殻の内部構造、例えば、セントラルシャフト１２を見ることが出来る。この効果は、この種のオブジェクトとしては、非常に興味深く、魅力的で新規なものである。ペンダントのためのネックレス３０をつけたり、イヤリングをつくったりするために、孔２５は固い樹脂および／または貝殻１０を貫通してドリルで開けられる。
【００３１】
本発明による第２の実施態様を、図５および６を参照して示す。この実施態様では、図１の、洗浄された空の貝殻１０は、らせん状壁１４を備えた幾分丸いスライス１１得るために、セントラルシャフト１２（図１、５−５線参照）全体にわたり実質的に垂直に切断される。このらせん状壁１４およびセントラルシャフト１２は、セントラルシャフト１２の周りにあるらせん状開口部１５の範囲を画定する。透明液体樹脂Ｒは上記と同じ方法で貝殻スライスの開口部１５の中に注がれる。透明樹脂Ｒが完全に固まったら、貝殻スライス１１は上述のように機械的におよび手動で磨かれる。しかし、より魅力あるものにするために、例えばハートまたはその他の幾何学模様（図６参照）のように、特別な形状にすることも可能である。フック１８などのサポート手段を、透明樹脂Ｒが固くなりすぎる前に該樹脂へ埋め込んだり、十分固まった後に該樹脂にねじ込むこともできる。このフック１８は、装飾物の端に配置され、ネックレスとの組み合わせにおいて、または、ペン、鞄、ベルト、靴、ブレスレットもしくはあらゆる種類のファッションアクセサリーに付けて、利用することができる。当然に、樹脂が透明であるため、貝殻の内部全体を見ることが出来る。
【００３２】
本発明による第３の実施態様を、図７および８を参照して示す。この実施態様では、ベースの貝殻は、大きな凹形の開口部１５、または貝殻の凹形壁１４で画定される空洞を備えた、半分のホタテ貝の貝殻である。第１工程の洗浄は上述の通りである。半分のホタテ貝の貝殻の縁は切断され、および／または、必要に応じて若干磨かれる。ここに表す最終装飾物１を製造することは非常に簡易である。洗浄された空の貝殻は、透明液体樹脂プール（図示せず）中に完全漬けられ、樹脂Ｒは凹形の開口部１５に充填される。透明樹脂Ｒが十分に固くなると、次いで貝殻１０は樹脂プールから取り出され、貝殻に付着した、または凹形開口部１５からあふれ出た固形樹脂を取り除くために研磨される。この工程の最後に、半分のホタテ貝の貝殻の凹形開口部１５は透明樹脂Ｒで充填され、その樹脂Ｒの透明性のおかげで、装飾物１に非常に目を引く装飾効果が備わる。孔２５は固い樹脂および／または貝殻を貫通してドリルで開けられ、ネックレスまたはあらゆるサポート手段（例えばイヤリングをつくるためのもの）を付けられるようになっている。
【００３３】
本発明による第４の実施態様を、図９または１０を参照して示す。この実施態様では、母貝（mother-of-shell）１０（図９参照）が最終装飾物を得るためのベース貝として使用される。これは、例えば、蝶貝（mother-of-pearl shell）１０であり得、そのため若干平らである。天然貝を洗浄した後、数個の孔１５を貝壁１４の幅全体を貫通して開ける。次いで、ドリルされた貝殻１０は半透明および有色の液体樹脂プールに漬けられ、開口部１５が充填される。または、開口部１５は、既に上記したように、液体樹脂Ｒで充填される前に、カバー層２０によって部分的に閉じられる。樹脂が完全に固まった後、蝶貝１０を磨いて、例えば鳥の羽のような魅力ある形状にする。さらに、孔２５を装飾物１の一方の端にドリルで開け、美しく、非常にユニークで、独創的なペンダントまたはイヤリングをつくることができる。
【００３４】
本発明による第５の実施態様を、図９、１２および１３を参照して示す。この実施態様では、図９の蝶貝１０は洗浄され、切断されて、小さなスライス１１（すなわち、約５ｍｍ〜２ｃｍの直径を有するディスク）を形成する。次いで、ディスク１１はミニドリルまたはレーザーによって２次元的に彫り込まれ、本実施例におけるイルカ１６のような非常に細かい模様がつくられる。開口部１５は浸食工程（erosion step）によって除かれた貝殻の一部とみなされる（すなわち、イルカの周り）。ディスク１１は次いで透明液体樹脂プール（図示せず）に漬けられ、乾燥空気ストーブ中に置かれ、樹脂が固化され、磨かれて、イルカの上に固い透明樹脂のドーム形状がつくられる。次いで、ディスクは一種のカメオを具備した指輪に取り付けられる。
【００３５】
本発明による第６の実施態様を、図１３〜１４を参照して示す。この実施態様では、図１の貝殻のような大きな貝殻１０が用いられる。この貝殻１０は、例えば、高さが１０〜２０ｃｍ、底が約５〜１０ｃｍのものであり得る。多数の孔１５が貝殻の壁１４を通してドリルで開けられる。文字をドリルで彫って、「ＬＯＶＥ」などの言葉を作ったり、ハートなどの幾何学的および／または装飾的模様を彫ることもできる。最終装飾物１を得るための方法は前述のものと同じである。最終装飾物１を、照明サポート３０の電球３２（冷光）の周りに置いて、透明または半透明樹脂Ｒで充填された孔を通って光線が出るようにすることもできる。この光線と樹脂により、実に驚くべき、装飾的効果が得られる。
【００３６】
本発明は記述および表示した実施態様に限定されるわけではない。
【００３７】
例えば、ガラスまたはクリスタルを流動材料として用いることも可能である。本発明は、ここで開示した、選択された樹脂溶融物の種類に限定されるわけではなく、あらゆる種類の透明または半透明の樹脂を用いることができる。
【００３８】
さらに、有色の樹脂、または半透明樹脂、または場合によっては、完全に不透明な樹脂を用いることも可能である。波紋効果（watered effect）も可能である。また、流動材料中に導入したパイプまたはストローに空気を吹き込むことにより、樹脂中またはガラス中に装飾的な泡を作ることも可能である。樹脂／ガラスの表面は別の視覚効果を得るためにサンドブラスト仕上げ（sand blasted）であってもよい。
【００３９】
装飾物はさらに、浴室（ドアノブ、石けん入れ）、事務所（ペン、文鎮）、寝室（家具のノブ、風鈴、ランプ）におけるハウスアクセサリーに用いてもよい。
【００４０】
貝殻はロブスターのつめ、またはウニで代替可能である。
【図面の簡単な説明】
【００４１】
【図１】図１は、本発明の方法によって、例えばペンダントなどの装飾物に変形するのに適した、第１種の貝殻の正面図である。
【図２】図２は、洗浄および切断工程後における、空の貝殻スライスの正面図である。
【図３】図３は、図２の側面図である。
【図４】図４は、図２および３の貝殻スライスを透明液体樹脂で充填する工程、並びに、研磨工程後の、装飾物の正面図である。
【図５】図５は、本発明の第２実施態様による、貝殻スライスの上面図である。
【図６】図６は、図５の貝殻スライスを透明液体樹脂で充填する工程、並びに、研磨工程後の、得られた装飾物の上面図である。
【図７】図７は、本発明の第３実施態様の正面図である。
【図８】図８は、本発明の第３実施態様の正面図と断面図である。
【図９】図９〜１１は、本発明の第４実施態様の断面図である。
【図１０】図９〜１１は、本発明の第４実施態様の正面図と断面図である。
【図１１】図９〜１１は、本発明の第４実施態様の正面図と断面図である。
【図１２】図１２は、本発明の第５実施態様の正面図である。
【図１３】図１３は、本発明の第５実施態様の断面図である。
【図１４】図１４は、本発明の第６実施態様の正面図である。
【図１５】図１５は、本発明の第６実施態様の断面図である。
【図１】
2007532365.tif 000003
【図２】
2007532365.tif 000004
【図３】
2007532365.tif 000005
【図４】
2007532365.tif 000006
【図５】
2007532365.tif 000007
【図６】
2007532365.tif 000008
【図７】
2007532365.tif 000009
【図８】
2007532365.tif 000010
【図９】
2007532365.tif 000011
【図１０】
2007532365.tif 000012
【図１１】
2007532365.tif 000013
【図１２】
2007532365.tif 000014
【図１３】
2007532365.tif 000015
【図１４】
2007532365.tif 000016
【図１５】
2007532365.tif 000017
【国際調査報告】
2007532365.tif 000018
2007532365.tif 000019